(57)【要約】【課題】各端末装置へのネットワークアドレスの設定を容易に行うことを可能とする。【解決手段】第１のネットワークを介して接続された複数の伝送装置と、各伝送装置に対して第２のネットワークを介して接続された監視装置および少なくとも１台の端末装置とを備えるネットワークシステムであって、伝送装置は、第１のネットワークと通信するための第１の通信ポートと、第２のネットワークと通信するための第２の通信ポートと、伝送装置および端末装置を示す経路情報を管理する管理手段とを備える。監視装置は、複数の伝送装置から経路情報を取得し、取得した経路情報に基づいて複数の伝送装置の接続構成を抽出し、伝送装置ごとに、端末装置に割り当てるネットワークアドレスのアドレスリストを記憶し、端末装置からの配布要求に応じ、抽出された接続構成と、記憶されたアドレスリストとに基づき、ネットワークアドレスを端末装置に配布する。【選択図】図５
2014154974.tif 000002
【特許請求の範囲】
【請求項１】
第１のネットワークを介して接続された複数の伝送装置と、各伝送装置に対して第２のネットワークを介して接続された監視装置および少なくとも１台の端末装置とを備えるネットワークシステムであって、
前記伝送装置は、
前記第１のネットワークと通信するための第１の通信ポートと、
前記第２のネットワークと通信するための第２の通信ポートと、
前記第１の通信ポート又は前記第２の通信ポートを経由して接続された伝送装置および端末装置を示す経路情報を管理する管理手段と、を備え、
前記監視装置は、
前記複数の伝送装置から前記経路情報を取得する経路情報取得手段と、
前記取得した経路情報に基づいて前記複数の伝送装置の接続構成を抽出する抽出手段と、
前記伝送装置ごとに、端末装置に割り当てるネットワークアドレスのアドレスリストを記憶する記憶手段と、
いずれかの前記伝送装置の第２の通信ポートを介して前記第２のネットワークに接続された端末装置からのネットワークアドレスの配布要求に応じ、前記抽出された接続構成と、前記記憶されたアドレスリストとに基づき、ネットワークアドレスを前記端末装置に配布するアドレス配布手段と、
を備えるネットワークシステム。
【請求項２】
前記監視装置は、
前記第２のネットワークに接続された所定の端末装置が管理する第２のアドレスリストを取得して前記アドレスリストを生成する取得手段を更に備え、
前記記憶手段は、前記生成されたアドレスリストを記憶する、
請求項１に記載のネットワークシステム。
【請求項３】
前記監視装置は、
前記記憶されたアドレスリストを、前記第２の通信ポートに接続された所定の端末装置に配布するアドレスリスト配布手段を更に備える、
請求項１に記載のネットワークシステム。
【請求項４】
前記記憶手段は、前記配布したネットワークアドレスと、当該ネットワークアドレスを配布した端末装置の識別情報とを記憶し、
前記監視装置は、
前記第２の通信ポートに接続された端末装置から、当該端末装置に設定されたネットワークアドレス及び前記端末装置の識別情報を間欠的に取得するアドレス取得手段と、
前記取得したネットワークアドレス及び識別情報が前記記憶手段に記憶されているネットワークアドレス及び識別情報と一致するか否かを比較する比較手段と、
前記比較手段による結果が不一致である場合に、前記端末装置が変更されたことを出力する変更出力手段とを更に備える、
請求項１乃至３のいずれか一項に記載のネットワークシステム。
【請求項５】
前記監視装置は、
前記アドレスリストのネットワークアドレスごとに、当該ネットワークアドレスの有効期限を管理する有効期限管理手段を更に備え、
前記有効期限管理手段は、端末装置からのネットワークアドレスの更新要求に応じて前記有効期限を延長する、
請求項１乃至４のいずれか一項に記載のネットワークシステム。
【請求項６】
前記監視装置は、
前記有効期限の更新が行われていないネットワークアドレスの端末装置を非稼働状態であると判定する判定手段と、
前記非稼動状態であると判定された端末装置を示す情報を出力する非稼働出力手段とを更に備える、
請求項５に記載のネットワークシステム。
【発明の詳細な説明】
【技術分野】
【０００１】
本発明の実施形態は、ネットワークシステムに関する。
【背景技術】
【０００２】
従来、鉄道車両では、モータやインバータを制御するための制御情報、行先表示板、機器状態のモニタのためのセンサ情報等のデータを編成車両間に構築されたネットワークシステムを用いて伝送している。このネットワークシステムでは、車両ごとに設けられた伝送装置をネットワークのノードとし、その伝送装置のポートに接続する端末装置にネットワークアドレスを設定することで、各端末装置間での通信を行なっている。
【先行技術文献】
【特許文献】
【０００３】
【特許文献１】特開２００８−２９４７６０号公報
【発明の概要】
【発明が解決しようとする課題】
【０００４】
しかしながら、上述した従来技術では、各端末装置へのネットワークアドレスの設定が煩雑であった。例えば、一般のネットワークシステムでは、ＤＨＣＰ（DHCP:Dynamic Host Configuration Protocol）によるネットワークアドレス（ＩＰアドレス）の自動設定が知られているが、ＤＨＣＰにおけるＩＰアドレスの割り当ては任意であり、どの端末装置に対してどのようなＩＰアドレスが割り当てられるかは保証されていない。このため、ネットワークアドレスを一意に設定することは容易にできなかった。
【０００５】
特に鉄道車両の場合は、モータやインバータの制御、機器状態のモニタのためのセンサ情報の取得を的確に行う必要があるため、モータ、インバータ、センサ等の各端末装置に設定するネットワークアドレスを一意に設定することが重要である。しかしながら、伝送装置に接続するにあたり、各端末装置のネットワークアドレスを１点、１点確認しながら設定することは、設定対象の端末装置の数が多くなるのに従って困難なものであった。
【課題を解決するための手段】
【０００６】
上述した課題を解決するために、実施形態のネットワークシステムは、第１のネットワークを介して接続された複数の伝送装置と、各伝送装置に対して第２のネットワークを介して接続された監視装置および少なくとも１台の端末装置とを備えるネットワークシステムであって、前記伝送装置は、前記第１のネットワークと通信するための第１の通信ポートと、前記第２のネットワークと通信するための第２の通信ポートと、前記第１の通信ポート又は前記第２の通信ポートを経由して接続された伝送装置および端末装置を示す経路情報を管理する管理手段と、を備え、前記監視装置は、前記複数の伝送装置から前記経路情報を取得する経路情報取得手段と、前記取得した経路情報に基づいて前記複数の伝送装置の接続構成を抽出する抽出手段と、前記伝送装置ごとに、端末装置に割り当てるネットワークアドレスのアドレスリストを記憶する記憶手段と、いずれかの前記伝送装置の第２の通信ポートを介して前記第２のネットワークに接続された端末装置からのネットワークアドレスの配布要求に応じ、前記抽出された接続構成と、前記記憶されたアドレスリストとに基づき、ネットワークアドレスを前記端末装置に配布するアドレス配布手段と、を備える。
【図面の簡単な説明】
【０００７】
【図１】図１は、実施形態にかかるネットワークシステムの一例を示す概念図である。
【図２】図２は、実施形態にかかるネットワークシステムの一例を示す概念図である。
【図３】図３は、伝送装置の構成例を示すブロック図である。
【図４】図４は、端末装置の構成例を示すブロック図である。
【図５】図５は、ネットワーク監視装置の構成例を示すブロック図である。
【図６】図６は、ネットワーク監視装置の動作の一例を示すフローチャートである。
【図７】図７は、伝送装置の経路情報の一例を示す図である。
【図８】図８は、伝送装置の経路情報の一例を示す図である。
【図９】図９は、伝送装置の接続順序の並び替えを例示する図である。
【図１０】図１０は、記憶されているアドレスリストと取得したアドレスリストとの比較を例示する概念図である。
【図１１】図１１は、ＩＰアドレスにおける有効期限の管理を例示する概念図である。
【図１２】図１２は、配布アドレスリストとその取得とを例示する概念図である。
【図１３】図１３は、変形例にかかるネットワーク監視装置の構成例を示すブロック図である。
【図１４】図１４は、配布アドレスリストの配布を例示する概念図である。
【発明を実施するための形態】
【０００８】
以下、添付図面を参照して実施形態にかかるネットワークシステムを詳細に説明する。なお、以下の説明では、実施形態や変形例における共通の構成については同一の符号を付して説明を省略する。図１、図２は、実施形態にかかるネットワークシステムの一例を示す概念図である。
【０００９】
図１に示すように、実施形態にかかるネットワークシステムは、伝送装置１、幹線系伝送路２、端末装置３、支線系伝送路４、アドレス管理装置としてのネットワーク監視装置５を備える。なお、幹線系伝送路２および支線系伝送路４では、双方向の通信が行われるが、ここでは１つの線で表現している。また、伝送装置１、端末装置３の台数や、ネットワーク監視装置５が接続する伝送装置１のネットワーク上の位置（図示例では一番右）は、図示例に限定しない。
【００１０】
伝送装置１は、ネットワークのノードであり、隣接する伝送装置１と幹線系伝送路２を介して接続される。また、伝送装置１には、支線系伝送路４を介して端末装置３、ネットワーク監視装置５が接続される。すなわち、端末装置３、ネットワーク監視装置５は、ノードより枝分かれして接続される機器である。
【００１１】
また、図１に例示したネットワークシステムは、鉄道列車の複数車両にわたって設置されるものであり、車両ごとにノードとする伝送装置１を設けたライン型又はバス型のトポロジー（接続形態）である（図１はライン型の一例）。すなわち、鉄道列車の１車両には、１台の伝送装置１と、その伝送装置１より枝分かれして接続される端末装置３とが設置される。そして、車両間は幹線系伝送路２によって接続され、幹線系伝送路２による伝送路が鉄道列車の編成方向に伸びる構成になっている。
【００１２】
また、伝送装置１はレイヤー２のスイッチング装置であり、ネットワーク全体は、一つのブロードキャストドメインを形成している。したがって、伝送装置１と幹線系伝送路２とを介してネットワークに流れるフレームは、スイッチングの際にフレーム内解釈などの余分な処理が行われないため、遅延の少ない伝送が可能となる。
【００１３】
端末装置３には、機器状態のモニタのための各種センサ（電圧センサ、油圧センサ、空気圧センサ、カメラ等）である端末装置３ａと、それら各種センサからの情報を収集する収集装置３ａａと、インバータやモータ等の制御対象機器である端末装置３ｂと、それら制御対象機器を制御する制御装置３ｂｂとがある。以下の説明では、上述した端末装置３ａ、３ｂ、収集装置３ａａ、制御装置３ｂｂを区別しない場合は単に端末装置３と称するものとする。
【００１４】
なお、ネットワークシステムのトポロジーは、ライン型やバス型だけでなく、図２に示すようなリング型であってもよい。図２では、閉塞ポート２１を有する伝送装置１ａでフレームを一周させるリング型の一例である。
【００１５】
図３は、伝送装置１の構成例を示すブロック図である。図３に示すように、伝送装置１は、通信Ｉ／Ｆ部１１、通信Ｉ／Ｆ部１２、経路切替部１３、制御部１４、記憶部１５、管理部１６を備える。
【００１６】
通信Ｉ／Ｆ部１１は、幹線系伝送路２を接続する通信ポート、すなわちノード間を接続する入出力インターフェースであり、幹線系伝送路２を流れるフレームの送受信を行う。通信Ｉ／Ｆ部１２は、支線系伝送路４を接続する通信ポート、すなわち伝送装置１より枝分かれする端末装置３、ネットワーク監視装置５を接続する入出力インターフェースであり、支線系伝送路４を流れるフレームの送受信を行う。
【００１７】
経路切替部１３は、通信Ｉ／Ｆ部１１、１２を介して送受信されるフレームのアドレス（宛先）をもとに、記憶部１５に記憶されたＭＡＣアドレステーブルを参照し、他の伝送装置１の経路又は伝送装置１より枝分かれする端末装置３、ネットワーク監視装置５の経路への切り替えを行う。制御部１４は、ＣＰＵ（Central Processing Unit）、ＲＯＭ（Read Only Memory）、ＲＡＭ（Random Access Memory）などを有し（いずれも図示しない）、ＣＰＵがＲＯＭに記憶されたプログラムをＲＡＭに展開して順次実行することで、伝送装置１の動作を制御する。
【００１８】
記憶部１５は、ＲＡＭ等に確保されたデータ記憶領域であり、通信Ｉ／Ｆ部１１、１２から入力（受信）されたフレームに含まれるＭＡＣアドレス、通信Ｉ／Ｆ部１１、１２を経由して接続された送信元の端末装置３を識別する識別情報を、受信した通信Ｉ／Ｆ部１１、１２における通信ポートごとのＭＡＣアドレステーブルとして記憶する。具体的には、通信ポートのポート番号ごとに、受信したフレームのＭＡＣアドレスを記述したＭＡＣアドレステーブルであり、ＭＡＣアドレスで通信Ｉ／Ｆ部１１、１２の経路（ポート番号）を管理する経路情報を記憶する。
【００１９】
管理部１６は、記憶部１５が記憶するＭＡＣアドレステーブルを管理する。具体的には、管理部１６は、通信Ｉ／Ｆ部１１、１２から入力（受信）されたフレームのＭＡＣアドレスを参照し、記憶部１５が記憶するＭＡＣアドレステーブルを更新する。また、管理部１６は、ネットワーク監視装置５からの要求に応じて、記憶部１５が記憶するＭＡＣアドレステーブルを読み出して、ネットワーク監視装置５宛に送信する。
【００２０】
図４は、端末装置３の構成例を示すブロック図である。図４に示すように、端末装置３は、通信Ｉ／Ｆ部３１、ＩＰアドレス要求部３２、ＩＰアドレス記憶部３３、ＭＡＣアドレス３４、機能部３５を備える。
【００２１】
通信Ｉ／Ｆ部３１は、支線系伝送路４を介した通信を行う入出力インターフェースである。ＩＰアドレス要求部３２は、ＩＰアドレス記憶部３３にＩＰアドレス（ネットワークアドレス）が記憶されていない場合、すなわち端末装置３自身のネットワークアドレスが設定されていない場合に、ＩＰアドレスの要求を送信（ブロードキャスト）する。このＩＰアドレスの要求については、従来のＤＨＣＰのクライアント側がＩＰアドレスを要求する技術を用いてもよい。すなわち、実施形態のネットワークシステムは、１つのブロードキャストドメインで構成されているため、ブロードキャストされたＤＨＣＰパケットは確実にネットワーク監視装置５に届くこととなる。
【００２２】
ＩＰアドレス記憶部３３は、ＩＰアドレス要求部３２の要求により得られたＩＰアドレスを記憶する。ＭＡＣアドレス３４は、ＲＯＭ（図示しない）に記憶された自身のＭＡＣアドレスである。ＭＡＣアドレス３４は、通信Ｉ／Ｆ部３１が送信するフレームに添付される。機能部３５は、端末装置３に特有の機能を実現する。具体的には、センサであれば、センサ回路、センサ回路のセンサ値をデジタルデータに変換する変換回路、変換されたデジタルデータを通信Ｉ／Ｆ部３１を介して送信する送信回路などが機能部３５に含まれる。同様に、カメラであれば、デジタルカメラ、映像処理回路、送信回路などが機能部３５に含まれる。また、インバータであれば、電力変換回路などが機能部３５に含まれる。
【００２３】
図５は、ネットワーク監視装置５の構成例を示すブロック図である。図５に示すように、ネットワーク監視装置５は、通信Ｉ／Ｆ部５０、経路情報取得部５１、構成情報抽出部５２、ＩＰアドレスリスト記憶部５３、配布ＩＰアドレス記憶部５４、ＩＰアドレス配布部５５、監視部５６、ネットワークアドレス取得部５７、比較部５８、配布ＩＰアドレス有効期限制御部５９、判定部６０、延長要求処理部６１、アドレスリスト取得処理部６２を備える。
【００２４】
通信Ｉ／Ｆ部５０は、支線系伝送路４を介した通信を行う入出力インターフェースである。経路情報取得部５１は、ネットワークシステムの伝送装置１の各々からＭＡＣアドレステーブル（経路情報）を取得する。具体的には、経路情報取得部５１は、ネットワークシステムにおける伝送装置１のＩＰアドレスをＩＰアドレスリスト記憶部５３より順次読み出して、そのＩＰアドレス宛にＭＡＣアドレステーブルを要求することで、伝送装置１の各々が管理するＭＡＣアドレステーブルを取得する。構成情報抽出部５２は、経路情報取得部５１が伝送装置１の各々より取得したＭＡＣアドレステーブルに基いて、ネットワークにおける伝送装置１の接続構成を抽出し、その接続構成を示す経路設定情報を作成する。ＩＰアドレスリスト記憶部５３は、ネットワークシステムにおける伝送装置１のＩＰアドレスのリストを記憶する。
【００２５】
ここで、伝送装置１の各々より取得したＭＡＣアドレステーブルに基づいた伝送装置１の接続構成の抽出について説明する。図６は、ネットワーク監視装置５の動作の一例を示すフローチャートである。より具体的には、伝送装置１の各々より取得したＭＡＣアドレステーブルに基づいて構成情報抽出部５２が行う動作の詳細を示すフローチャートである。
【００２６】
図６に示すように、処理が開始されると、構成情報抽出部５２は、ネットワークシステムを構成する伝送装置１の中で任意のスイッチを選択する（Ｓ１）。次いで、構成情報抽出部５２は、選択した伝送装置１より取得したＭＡＣアドレステーブルを参照し、伝送装置１が備える２つの幹線系インターフェース（通信Ｉ／Ｆ部１１）に対応してＭＡＣアドレスの登録があるか否かを判定する（Ｓ２）。２つの幹線系のインターフェース（通信Ｉ／Ｆ部１１）に対応してＭＡＣアドレスの登録がある場合（Ｓ２：ＹＥＳ）、選択した伝送装置１はライン型又はバス型のネットワークで端点（右端又は左端）ではないことから、構成情報抽出部５２は、他のスイッチ（伝送装置１）を確認し（Ｓ３）、Ｓ２へ処理を戻す。
【００２７】
図７は、伝送装置１の経路情報の一例を示す図である。図７において、伝送装置１（Ｍ、Ｓ１、Ｓ２、Ｓ３、Ｓ４）は、ライン型又はバス型のネットワークで、左端のＭを基準として右方向にＳ１、Ｓ２、Ｓ３、Ｓ４の順に接続されている。また、２ａは、ライン型又はバス型のネットワークにおける左方向の幹線系伝送路２を介した接続を示し、２ｂは、右方向の幹線系伝送路２を介した接続を示している。また、Ｍ１、Ａ１〜Ａ４は、ＭＡＣアドレステーブルにおいて記憶されるＭＡＣアドレスを示している。例えば、伝送装置１（Ｍ）の支線系伝送路４と接続する通信ポートには、ＭＡＣアドレスがＭ１である機器が接続されていることを示している。
【００２８】
Ｓ２では、図７に例示したＭ、Ｓ１、Ｓ２、Ｓ３、Ｓ４の中から選択したＭＡＣアドレステーブルを参照し、幹線系のインターフェース（２ａ、２ｂ）ともにＭＡＣアドレスの登録があるか否かを判定する。ここで、Ｓ１〜Ｓ３では、２ａ、２ｂともにＭＡＣアドレスが登録されていることから、Ｓ２：ＹＥＳと判定される。Ｍ１、Ｓ４は、右端又は左端にあることから、２ａ又は２ｂの一方にＭＡＣアドレスが登録されているため、Ｓ２：ＮＯと判定される。
【００２９】
幹線系のインターフェース（通信Ｉ／Ｆ部１１）ともにＭＡＣアドレスの登録がない場合（Ｓ２：ＮＯ）、構成情報抽出部５２は、選択した伝送装置１は、ライン型又はバス型のネットワークで端点であることから、端点に位置する伝送装置１と判定し、順番を１番とする（Ｓ４）。
【００３０】
次いで、構成情報抽出部５２は、１番目の伝送装置１の支線系インターフェース（通信Ｉ／Ｆ部１２）に登録されているＭＡＣアドレス（図７のＭ１）を抽出する（Ｓ５）。次いで、構成情報抽出部５２は、残りの伝送装置１の幹線系インターフェースにＭ１が登録されている側を探し、Ｍ１が登録されている側のインターフェースの接続方向を１番目の伝送装置１の接続方向と認識する（Ｓ６）。
【００３１】
図８は、伝送装置１の経路情報の一例を示す図である。図８に示すように、残りの伝送装置１（Ｓ１〜Ｓ４）については、Ｍ１が登録されている側のインターフェース（２ａ）の接続方向が１番目の伝送装置１の接続方向と認識されることとなる。
【００３２】
次いで、構成情報抽出部５２は、１番目以外の任意の伝送装置１（Ｓ１〜Ｓ４）を選択し（Ｓ７）、選択した伝送装置１を検査済の順番の（最大値＋１）番と仮決めする（Ｓ８）。
【００３３】
次いで、構成情報抽出部５２は、選択した伝送装置１の支線系インターフェースに登録されているＭＡＣアドレスが、１つ前の検査済み伝送装置１の幹線系インターフェースの中の、１番目の伝送装置１に向かって接続されていない側に登録されているか否かを判定する（Ｓ９）。
【００３４】
Ｓ９において登録されている場合（ＹＥＳ）、構成情報抽出部５２は、現在の仮順番を保持して、Ｓ７で選択した伝送装置１を検査済みとする（Ｓ１０）。また、Ｓ９において登録されていない場合（ＮＯ）、構成情報抽出部５２は、順番を１つ前に変更し、比較した検査済みの伝送装置１の順番を１つ増加することで、順番を入れ替える（Ｓ１１）。Ｓ１１に次いで、構成情報抽出部５２は、順番が２番目であるか否かを判定し（Ｓ１２）、順番が２番目である場合（ＹＥＳ）はＳ１０へ処理を進め、順番が２番目でない場合（ＮＯ）はＳ９へ処理を戻す。
【００３５】
Ｓ１０に次いで、構成情報抽出部５２は、未検査の伝送装置１があるか否かを判定し（Ｓ１３）、ある場合（ＹＥＳ）はＳ８に処理を戻し、ない場合（ＮＯ）は処理を終了する。
【００３６】
図９は、伝送装置１の接続順序の並び替えを例示する図である。図９に示すように、ケースＣ１では、順番が１番の伝送装置１（Ｍ）に次いで、順番が２番の伝送装置１（Ｓ１）が仮決めされている。この場合は、伝送装置１（Ｓ１）の支線系に登録されているＭＡＣアドレス（Ａ１）が、１つ前の伝送装置１（Ｍ）の後段側が接続する幹線系インターフェースに登録されていることから、Ｍ、Ｓ１の順でメモリに保持される。次いで、ケースＣ２の場合は、仮決めされた伝送装置１（Ｓ３）の支線系に登録されているＭＡＣアドレス（Ａ３）が、１つ前の伝送装置１（Ｓ１）の幹線系インターフェースに登録されていることから、Ｍ、Ｓ１、Ｓ３の順でメモリに保持される。次いで、ケースＣ３の場合は、仮決めされた伝送装置１（Ｓ４）の支線系に登録されているＭＡＣアドレス（Ａ４）が、１つ前の伝送装置１（Ｓ３）の幹線系インターフェースに登録されていることから、Ｍ、Ｓ１、Ｓ３、Ｓ４の順でメモリに保持される。
【００３７】
次いで、ケースＣ４の場合は、仮決めされた伝送装置１（Ｓ２）の支線系に登録されているＭＡＣアドレス（Ａ２）が、１つ前の伝送装置１（Ｓ４）の幹線系インターフェースに登録されていないことから、Ｓ４とＳ２の順番の入れ替えが行われる。次いで、Ｓ４とＳ２の順番を入れ替えた後のケースＣ５の場合は、伝送装置１（Ｓ２）の支線系に登録されているＭＡＣアドレス（Ａ２）が、１つ前の伝送装置１（Ｓ３）の幹線系インターフェースに登録されていないことから、Ｓ３とＳ２の順番の入れ替えが行われる。次いで、Ｓ３とＳ２の順番を入れ替えた後のケースＣ６の場合は、伝送装置１（Ｓ２）の支線系に登録されているＭＡＣアドレス（Ａ２）が、１つ前の伝送装置１（Ｓ１）の幹線系インターフェースに登録されていることから、Ｍ、Ｓ１、Ｓ２、Ｓ３、Ｓ４の順でメモリに保持される。このケースＣ６に至ったところで、未検査の伝送装置１がなくなり、伝送装置１（Ｍ）を基点とした接続順序が確定し、確定した接続順序に従った経路設定情報が作成されることとなる。
【００３８】
図５に戻り、配布ＩＰアドレス記憶部５４は、接続順序で規定される伝送装置１ごとに、通信Ｉ／Ｆ部１２に接続された端末装置３に割り当てる（配布する）ＩＰアドレスの配布アドレスリストを記憶する。ＩＰアドレス配布部５５は、いずれかの伝送装置１の通信Ｉ／Ｆ部１２に接続された端末装置３からのＩＰアドレスの配布要求に応じて、構成情報抽出部５２が抽出したネットワークの接続構成と、配布ＩＰアドレス記憶部５４が記憶する配布アドレスリストとを参照して、ＩＰアドレスの配布要求があった伝送装置１の通信Ｉ／Ｆ部１２に割り当てられたＩＰアドレスを端末装置３に配布する。なお、配布アドレスリスト及び配布アドレスリストを用いたＩＰアドレスの配布の詳細については後述する。
【００３９】
ネットワークアドレス取得部５７は、伝送装置１の通信Ｉ／Ｆ部１２に接続された端末装置３から、その端末装置３に設定されたＩＰアドレス及び端末装置３の識別情報であるＭＡＣアドレスを間欠的に取得する。比較部５８は、ネットワークアドレス取得部５７が取得したＩＰアドレス及びＭＡＣアドレスと、配布ＩＰアドレス記憶部５４が記憶する配布アドレスリストのＩＰアドレス及びＭＡＣアドレスとを比較する。
【００４０】
図１０は、記憶されているアドレスリストＬ１と取得したアドレスリストＬ２との比較を例示する概念図である。図１０に示すように、配布ＩＰアドレス記憶部５４は、ＩＰアドレス配布部５５が配布したＩＰアドレスと、そのＩＰアドレスを配布した端末装置３のＭＡＣアドレスをアドレスリストＬ１として記憶する。比較部５８は、ネットワークアドレス取得部５７により間欠的に取得されたＩＰアドレス及びＭＡＣアドレスのアドレスリストＬ２が、アドレスリストＬ１のＩＰアドレス及びＭＡＣアドレスと一致するか否かを比較する。
【００４１】
監視部５６は、比較部５８の比較結果をもとに、伝送装置１の通信Ｉ／Ｆ部１２に接続された端末装置３の変更の有無を監視する。そして、監視部５６は、端末装置３の変更がある場合には、通信Ｉ／Ｆ部５０を介して接続する外部機器（例えばモニタ装置）宛に端末装置３の変更があることを示す情報を出力する。具体的には、間欠的に取得されたＩＰアドレス及びＭＡＣアドレスが、配布アドレスリストのＩＰアドレス及びＭＡＣアドレスと一致しない場合に、端末装置３の変更によるＭＡＣアドレスの相違があることから、端末装置３の変更があるとする。なお、端末装置３の変更があることを示す情報は、ネットワーク監視装置５に設けられた液晶ディスプレイなどの表示装置に出力してもよい。これにより、ユーザは、端末装置３の変更を行った際の確認作業を容易に行うことができる。
【００４２】
配布ＩＰアドレス有効期限制御部５９は、ＩＰアドレス配布部５５が配布したＩＰアドレスごとに、ＩＰアドレスの有効期限を設定し、配布後のＩＰアドレスを管理する。具体的には、配布ＩＰアドレス記憶部５４は、ＩＰアドレス配布部５５が配布したＩＰアドレスと、そのＩＰアドレスの有効期限とのアドレスリストを記憶しており、配布ＩＰアドレス有効期限制御部５９は、配布ＩＰアドレス記憶部５４が記憶するアドレスリストをもとに、配布後のＩＰアドレスを管理する。延長要求処理部６１は、配布ＩＰアドレス有効期限制御部５９が管理するＩＰアドレスの端末装置３からの更新要求に応じて、そのＩＰアドレスの有効期限を延長する。具体的には、延長要求処理部６１は、配布ＩＰアドレス記憶部５４が記憶するアドレスリストの有効期限を新たな有効期限に更新する。
【００４３】
図１１は、ＩＰアドレスにおける有効期限の管理を例示する概念図である。図１１に示すように、配布ＩＰアドレス有効期限制御部５９は、配布ＩＰアドレス記憶部５４が記憶するアドレスリストＬ３において、更新要求があったＩＰアドレス（１０．１２８．６４．２／８）の有効期限を所定の時間延長する更新を行って、アドレスリストＬ４とすることで、有効期限内のＩＰアドレスを管理している。例えば、ＩＰアドレス配布部５５は、配布ＩＰアドレス有効期限制御部５９が管理するアドレスリストを参照することで、ＩＰアドレスを配布する際のコンフリクトを防止できる。
【００４４】
判定部６０は、配布ＩＰアドレス有効期限制御部５９により有効期限の更新が行われていないＩＰアドレスの端末装置３を非稼働状態であると判定する。具体的には、配布ＩＰアドレス記憶部５４が記憶するアドレスリストの中で、現在の時刻が有効期限を過ぎているＩＰアドレスの端末装置３を非稼働状態であると判定する。監視部５６は、判定部６０により非稼動状態であると判定された端末装置３を示す情報（例えばアドレスリストで管理されているＩＰアドレスやＭＡＣアドレス）を、前述した比較部５８の比較結果と同様に、外部機器や表示装置に出力する。これにより、ユーザは、ネットワークシステム上で非稼動状態である端末装置３を容易に確認できる。
【００４５】
アドレスリスト取得処理部６２は、伝送装置１の通信Ｉ／Ｆ部１２に接続された所定の端末装置３が管理する配布アドレスリストを取得する。アドレスリスト取得処理部６２が取得した配布アドレスリストは、配布ＩＰアドレス記憶部５４に記憶される。具体的には、アドレスリスト取得処理部６２は、端末装置３の中の収集装置３ａａ、制御装置３ｂｂに設定されるＩＰアドレスが予め登録されており、その収集装置３ａａ、制御装置３ｂｂ宛に自身が管理する配布アドレスリストを要求することで、配布アドレスリストを取得する。
【００４６】
図１２は、配布アドレスリストＬ５とその取得とを例示する概念図である。図１２に示すように、収集装置３ａａは、自身がデータを収集する機器である端末装置３ａ（ＥＤａ）について、列車の号車番号、スイッチ（ＳＷ）番号、ポート番号、ＩＰアドレスの配布アドレスリストＬａをメモリ上に管理している。また、制御装置３ｂｂは、自身が制御する制御対象機器である端末装置３ｂ（ＥＤｂ）について、列車の号車番号、スイッチ（ＳＷ）番号、ポート番号、ＩＰアドレスの配布アドレスリストＬｂをメモリ上に管理している。
【００４７】
アドレスリスト取得処理部６２は、収集装置３ａａ、制御装置３ｂｂ宛に配布アドレスリストＬａ、Ｌｂを要求し、取得した配布アドレスリストＬａとＬｂに基づいて、ＳＷ番号、号車番号における伝送装置１の各ポート番号に割り当てるＩＰアドレスの配布アドレスリストＬ５を生成し、配布ＩＰアドレス記憶部５４に記憶する。配布アドレスリストＬ５は、伝送装置１の接続順序であるＳＷ番号、号車番号で設置された伝送装置１の通信Ｉ／Ｆ部１２におけるポート番号に割り当てるべきＩＰアドレスのリストである。したがって、ＩＰアドレス配布部５５は、いずれかの伝送装置１の通信Ｉ／Ｆ部１２に接続する端末装置３からＩＰアドレスの配布要求があった場合、構成情報抽出部５２が抽出したネットワークの接続構成の順に伝送装置１のＭＡＣアドレスリストを並べて、ＳＷ番号、号車番号における各ポート番号のＭＡＣアドレスを確定する。次いで、ＩＰアドレス配布部５５は、ＩＰアドレスの配布要求があった際のＭＡＣアドレスから、ＳＷ番号、号車番号、ポート番号を特定して、その特定されたＳＷ番号、号車番号、ポート番号のＩＰアドレスを配布する。
【００４８】
したがって、ネットワーク監視装置５が端末装置３に配布するＩＰアドレスは、配布ＩＰアドレス記憶部５４が記憶する配布アドレスリストＬ５に対応したもの、すなわち、収集装置３ａａ、制御装置３ｂｂが管理している配布アドレスリストに対応したものとなる。このため、実施形態のネットワークシステムでは、収集装置３ａａと端末装置３ａ（ＥＤａ）との通信、制御装置３ｂｂと端末装置３ｂ（ＥＤｂ）との通信の整合性を保つとともに、所定のＳＷ番号、号車番号、ポート番号に対して一意のＩＰアドレスを容易に設定できる。
【００４９】
（変形例）
図１３は、変形例にかかるネットワーク監視装置５ａの構成例を示すブロック図である。図１３に示すように、ネットワーク監視装置５ａでは、アドレスリスト取得処理部６２の代わりに、アドレスリスト配布処理部６３を備える点が上述した実施形態と異なっている。
【００５０】
アドレスリスト配布処理部６３は、配布ＩＰアドレス記憶部５４が記憶する配布アドレスリストＬ５を、伝送装置１の通信Ｉ／Ｆ部１２に接続された所定の端末装置３に配布する。端末装置３は、アドレスリスト配布処理部６３より配布されたアドレスリストを管理する。具体的には、アドレスリスト配布処理部６３は、端末装置３の中の収集装置３ａａ、制御装置３ｂｂに設定されるＩＰアドレスが予め登録されており、その収集装置３ａａ、制御装置３ｂｂ宛に配布ＩＰアドレス記憶部５４が記憶する配布アドレスリストＬ５を配布する。収集装置３ａａ、制御装置３ｂｂでは、配布された配布アドレスリストＬ５をもとに、自身が通信する宛先である号車番号、ＳＷ番号、ポート番号におけるＩＰアドレスを設定する。
【００５１】
図１４は、配布アドレスリストＬ５の配布を例示する概念図である。図１４に示すように、ネットワーク監視装置５ａでは、配布ＩＰアドレス記憶部５４が記憶する配布アドレスリストＬ５をマスタデータとして、収集装置３ａａ、制御装置３ｂｂに配布する点が上述した実施形態とは異なっている。上述した変形例の場合であっても、収集装置３ａａと端末装置３ａ（ＥＤａ）との通信、制御装置３ｂｂと端末装置３ｂ（ＥＤｂ）との通信の整合性を保つとともに、所定のＳＷ番号、号車番号、ポート番号に対して一意のＩＰアドレスを容易に設定できる。
【００５２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００５３】
１、１ａ…伝送装置、２…幹線系伝送路、３、３ａ、３ｂ…端末装置、３ａａ…収集装置、３ｂｂ…制御装置、４…支線系伝送路、５、５ａ…ネットワーク監視装置、１１、１２…通信Ｉ／Ｆ部、１３…経路切替部、１４…制御部、１５…記憶部、１６…管理部、２１…閉塞ポート、３１…通信Ｉ／Ｆ部、３２…ＩＰアドレス要求部、３３…ＩＰアドレス記憶部、３４…ＭＡＣアドレス、３５…機能部、５０…通信Ｉ／Ｆ部、５１…経路情報取得部、５２…構成情報抽出部、５３…ＩＰアドレスリスト記憶部、５４…配布ＩＰアドレス記憶部、５５…ＩＰアドレス配布部、５６…監視部、５７…ネットワークアドレス取得部、５８…比較部、５９…配布ＩＰアドレス有効期限制御部、６０…判定部、６１…延長要求処理部、６２…アドレスリスト取得処理部、６３…アドレスリスト配布処理部、Ｃ１〜Ｃ６…ケース、Ｌ１〜Ｌ４…アドレスリスト、Ｌ５、Ｌａ、Ｌｂ…配布アドレスリスト
【図１】
2014154974.tif 000003
【図２】
2014154974.tif 000004
【図３】
2014154974.tif 000005
【図４】
2014154974.tif 000006
【図５】
2014154974.tif 000007
【図６】
2014154974.tif 000008
【図７】
2014154974.tif 000009
【図８】
2014154974.tif 000010
【図９】
2014154974.tif 000011
【図１０】
2014154974.tif 000012
【図１１】
2014154974.tif 000013
【図１２】
2014154974.tif 000014
【図１３】
2014154974.tif 000015
【図１４】
2014154974.tif 000016